(57)【特許請求の範囲】
【請求項１】
デバイス間通信をサポートし、スケジュールリソース割当モード及び自律リソース選択モードで動作可能なユーザ機器（ＵＥ）により実行され、基地局と通信するための方法であって、
前記自律リソース選択モードにおいて、特定の場合に、前記ＵＥにより使用される無線リソースのプールを識別する第１構成ＩＥを、前記基地局から、ＳＩＢ（system information block）において、受信するステップと、
時間期間を定義する第２構成ＩＥを、前記基地局から、ＲＲＣ  ｄｅｄｉｃａｔｅｄシグナリングにおいて、受信するステップと、
周期的に又はイベントトリガ方式で前記ＵＥにより報告されるＵＥ  ｍｅａｓｕｒｅｍｅｎｔ  ｑｕａｎｔｉｔｙを設定する第３構成ＩＥを、前記基地局から、受信するステップと、
前記第３構成ＩＥにより設定される前記ＵＥ  ｍｅａｓｕｒｅｍｅｎｔ  ｑｕａｎｔｉｔｙの値を報告するレポートを、前記基地局へ、送信するステップと、を含み、
前記ＵＥがスケジュールリソース割当モードを使用するように構成されているときに、前記ＵＥは、前記特定の場合に使用される無線リソースのプールを使用して、一時的に自律リソース選択モードの使用を開始し、
前記第２構成ＩＥにより定義される前記時間期間が起動している場合、前記ＵＥは、前記特定の場合に使用される無線リソースのプールを使用し、
前記自律リソース選択モードの前記ＵＥによる使用は、前記ＵＥ  ｍｅａｓｕｒｅｍｅｎｔ  ｑｕａｎｔｉｔｙに依存する、
方法。
【請求項２】
基地局により実行され、デバイス間通信をサポートし、スケジュールリソース割当モード及び自律リソース選択モードで動作可能なユーザ機器（ＵＥ）と通信するための方法であって、
前記自律リソース選択モードにおいて、特定の場合に、前記ＵＥにより使用される無線リソースのプールを識別する第１構成ＩＥを、前記ＵＥへ、ＳＩＢ（system information block）を用いて、送信するステップと、
時間期間を定義する第２構成ＩＥを、前記ＵＥへ、ＲＲＣ  ｄｅｄｉｃａｔｅｄシグナリングを用いて、送信するステップと、
周期的に又はイベントトリガ方式で前記ＵＥにより報告されるＵＥ  ｍｅａｓｕｒｅｍｅｎｔ  ｑｕａｎｔｉｔｙを設定する第３構成ＩＥを、前記ＵＥへ、送信するステップと、
前記第３構成ＩＥにより設定される前記ＵＥ  ｍｅａｓｕｒｅｍｅｎｔ  ｑｕａｎｔｉｔｙの値を報告するレポートを、前記ＵＥから、受信するステップと、を含み、
前記ＵＥがスケジュールリソース割当モードを使用するように構成されているときに、前記ＵＥは、前記特定の場合に使用される無線リソースのプールを使用して、一時的に自律リソース選択モードの使用を開始し、
前記第２構成ＩＥにより定義される前記時間期間が起動している場合、前記ＵＥは、前記特定の場合に使用される無線リソースのプールを使用し、
前記自律リソース選択モードの前記ＵＥによる使用は、前記ＵＥ  ｍｅａｓｕｒｅｍｅｎｔ  ｑｕａｎｔｉｔｙに依存する、
方法。
【請求項３】
基地局と、デバイス間通信をサポートし、スケジュールリソース割当モード及び自律リソース選択モードで動作可能なユーザ機器（ＵＥ）と、の間で通信するための方法であって、
前記自律リソース選択モードにおいて、特定の場合に、前記ＵＥにより使用される無線リソースのプールを識別する第１構成ＩＥを、前記基地局から前記ＵＥへ、ＳＩＢ（system information block）を用いて、送信するステップと、
時間期間を定義する第２構成ＩＥを、前記基地局から前記ＵＥへ、ＲＲＣ  ｄｅｄｉｃａｔｅｄシグナリングを用いて、送信するステップと、
周期的に又はイベントトリガ方式で前記ＵＥにより報告されるＵＥ  ｍｅａｓｕｒｅｍｅｎｔ  ｑｕａｎｔｉｔｙを設定する第３構成ＩＥを、前記基地局から前記ＵＥへ、送信するステップと、
前記第３構成ＩＥにより設定される前記ＵＥ  ｍｅａｓｕｒｅｍｅｎｔ  ｑｕａｎｔｉｔｙの値を報告するレポートを、前記ＵＥから前記基地局へ、送信するステップと、を含み、
前記ＵＥがスケジュールリソース割当モードを使用するように構成されているときに、前記ＵＥは、前記特定の場合に使用される無線リソースのプールを使用して、一時的に自律リソース選択モードの使用を開始し、
前記第２構成ＩＥにより定義される前記時間期間が起動している場合、前記ＵＥは、前記特定の場合に使用される無線リソースのプールを使用し、
前記自律リソース選択モードの前記ＵＥによる使用は、前記ＵＥ  ｍｅａｓｕｒｅｍｅｎｔ  ｑｕａｎｔｉｔｙに依存する、
方法。
【請求項４】
デバイス間通信をサポートし、スケジュールリソース割当モード及び自律リソース選択モードで動作するように構成されるユーザ機器（ＵＥ）であって、
コントローラ及びトランシーバを備え、
前記コントローラは、前記トランシーバを制御して、
前記自律リソース選択モードにおいて、特定の場合に、前記ＵＥにより使用される無線リソースのプールを識別する第１構成ＩＥを、基地局から、ＳＩＢ（system information block）において、受信し、
時間期間を定義する第２構成ＩＥを、前記基地局から、ＲＲＣ  ｄｅｄｉｃａｔｅｄシグナリングにおいて、受信し、
周期的に又はイベントトリガ方式で前記ＵＥにより報告されるＵＥ  ｍｅａｓｕｒｅｍｅｎｔ  ｑｕａｎｔｉｔｙを設定する第３構成ＩＥを、前記基地局から、受信し、
前記第３構成ＩＥにより設定される前記ＵＥ  ｍｅａｓｕｒｅｍｅｎｔ  ｑｕａｎｔｉｔｙの値を報告するレポートを、前記基地局へ、送信するように構成され、
前記ＵＥがスケジュールリソース割当モードを使用するように構成されているときに、前記ＵＥは、前記特定の場合に使用される無線リソースのプールを使用して、一時的に自律リソース選択モードを使用するように構成され、
前記第２構成ＩＥにより定義される前記時間期間が起動している場合、前記ＵＥは、前記特定の場合に使用される無線リソースのプールを使用するように構成され、
前記自律リソース選択モードの前記ＵＥによる使用は、前記ＵＥ  ｍｅａｓｕｒｅｍｅｎｔ  ｑｕａｎｔｉｔｙに依存する、
ＵＥ。
【請求項５】
デバイス間通信をサポートし、スケジュールリソース割当モード及び自律リソース選択モードで動作するように構成されるユーザ機器（ＵＥ）と通信するように構成される基地局であって、
コントローラ及びトランシーバを備え、
前記コントローラは、前記トランシーバを制御して、
前記自律リソース選択モードにおいて、特定の場合に、前記ＵＥにより使用される無線リソースのプールを識別する第１構成ＩＥを、前記ＵＥへ、ＳＩＢ（system information block）を用いて、送信し、
時間期間を定義する第２構成ＩＥを、前記ＵＥへ、ＲＲＣ  ｄｅｄｉｃａｔｅｄシグナリングを用いて、送信し、
周期的に又はイベントトリガ方式で前記ＵＥにより報告されるＵＥ  ｍｅａｓｕｒｅｍｅｎｔ  ｑｕａｎｔｉｔｙを設定する第３構成ＩＥを、前記ＵＥへ、送信し、
前記第３構成ＩＥにより設定される前記ＵＥ  ｍｅａｓｕｒｅｍｅｎｔ  ｑｕａｎｔｉｔｙの値を報告するレポートを、前記ＵＥから、受信するように構成され、
前記ＵＥがスケジュールリソース割当モードを使用するように構成されているときに、前記ＵＥは、前記特定の場合に使用される無線リソースのプールを使用して、一時的に自律リソース選択モードの使用を開始し、
前記第２構成ＩＥにより定義される前記時間期間が起動している場合、前記ＵＥは、前記特定の場合に使用される無線リソースのプールを使用し、
前記自律リソース選択モードの前記ＵＥによる使用は、前記ＵＥ  ｍｅａｓｕｒｅｍｅｎｔ  ｑｕａｎｔｉｔｙに依存する、
基地局。
【発明の詳細な説明】
【技術分野】
【０００１】
本発明は、デバイス間通信（Ｄ２Ｄ：Device-to-Device）の無線リソース管理に関し、特に、無線通信ネットワーク環境内のＤ２Ｄ通信用のモバイル無線通信デバイスへ無線リソース割当モードを割り当てる方法、関連するシステム及び通信端末デバイスに関する。
【背景技術】
【０００２】
ユニバーサルモード通信システム（ＵＭＴＳ：Universal Mode Telecommunications System）を強化する第３世代パートナーシッププロジェクト（３ＧＰＰ：3rd Generation Partnership Project）のロングタームエボリューション−アドバンス（ＬＴＥ−Ａ：Long Term Evolution-Advance）の態様においては、２つの適切な近接するモバイル無線通信デバイス間のＤ２Ｄ通信の提供を含んでいる。Ｄ２Ｄは、このような近接サービス（ＰｒｏＳｅ：Proximity based Services）の例であり、その用語は、本明細書で使用する場合には同等で代替え可能なものとして考えることができる。
【０００３】
ＰｒｏＳｅデバイスの例には、セルラーネットワークのユーザ機器（ＵＥ：User Equipment）が含まれ、ＵＥは、ｅＮＢなどのネットワーク基地局を通過するシグナリングを介さずに、セルラーリソースを使用する直接的なシグナリングを介して、互いにデータ信号を送信する。セルラーネットワーク環境内のＤ２Ｄ通信を促進することにより、無線ネットワークからの２つのＵＥ間の通信のオフロードによって生じる広く様々な効果を得ることができ、また、ローカルエリアのカバレッジ及びリソース効率が改良され、それと同時に、要求されるＵＥの送信電力が減少する。
【発明の概要】
【発明が解決しようとする課題】
【０００４】
しかし、無線通信ネットワーク環境内のＤ２Ｄ機能を統合するには、例えば、ネットワーク通信への影響を限定するように、Ｄ２Ｄ通信を適切に管理することが要求される。現在の提案は、動作効率のレベルに関して、特に、Ｄ２Ｄ通信を模索しているモバイル無線通信用の無線リソースの配置に関して不利である。
【０００５】
本発明は、無線通信ネットワーク環境内のＤ２Ｄ通信を促進し、例えば、動作効率及び無線リソースの配置に関して既知の方法及びシステムよりも効果がある方法及び関連するシステムを提供する。
【０００６】
さらに、現在提案されているＤ２Ｄ方法及びシステムには、特に、Ｄ２Ｄ発見及び通信シグナリングの双方に関して、また特に、いわゆる自律モード無線リソース割当の使用に関して、特定の不利な点が見られる。ポテンシャルな問題及び限定は、Ｄ２Ｄ無線通信デバイス用に提供されるサービス品質（ＱｏＳ：Quality of Service）、及び／又は、使用のためのポテンシャルな無線リソースの選択を提供する自律モードのプールのサイズに関するＤ２Ｄ無線リソースのポテンシャルな非効率な使用に関して生じている。
【０００７】
１つの例では、本発明は、無線リソース割当モードを割り当てる方法、及び関連するシステム及びモバイル無線通信ネットワークデバイス、及び関連するコンピュータプログラム製品を提供し、このような方法、システム、デバイス、及び製品の効果的な動作を提供する。
【課題を解決するための手段】
【０００８】
本発明の第１の態様によれば、無線通信ネットワーク環境内のデバイス間通信用のモバイル無線通信デバイスに無線リソース割当モードを割り当てる方法が提供され、前記方法は、前記モバイル無線通信デバイスで初期の無線リソース割当モードを識別するステップを含み、また、前記ネットワークから前記モバイル無線通信デバイスへの構成データであって前記デバイス間通信用に用いられる許可無線リソース割当モードに関連する構成データをシグナリングするステップ、及び前記許可モードを用いる場合の前記モバイル無線通信デバイスの少なくとも１つの動作要求を定義するステップをさらに含む。
【０００９】
本発明の方法は、用いるべき適切な無線リソース割当モードを識別するモバイル無線通信デバイス用の効果的な手順を提供するものである点で有益である。特にデバイス間通信が提供される無線通信ネットワークに限って生じるこのような効果は、１以上の無線リソース割当モードを同時にサポートすることができる。
【００１０】
さらに、本発明は、適切なＱｏＳレベル及び／又はＤ２Ｄ無線リソースの使用を直ちに提供できるという効果がある。要求されれば、ネットワーク容量に関して、ＱｏＳレベルとリソースとの間のトレードオフ又はバランスを直ちに取ることができる。
【００１１】
ある構成において、前記モバイル無線通信デバイスが前記初期の無線リソース割当モードを識別できるように、シグナリングを前記ネットワークから伝送することができる。
【００１２】
特に、このようなシグナリングは、システム情報ブロードキャスト（ＳＩＢ：System Information Broadcast）メッセージ内で、一般的には新たな情報要素（ＩＥ：Information Element）内で提供することができる。
【００１３】
さらに、前記構成データは、有利には、前記モバイル無線通信デバイスに提供される無線リソースの最大数を含むことができる。
【００１４】
また、前記構成データは、前記モバイル無線通信デバイスが前記許可モードに留まる時間長に関連するパラメータを含むことができる。
【００１５】
有利には、前記少なくとも１つの動作要求は、前記モバイル無線通信デバイスが前記許可モードを一定期間の間でのみ用いるべきこととすることができる。
【００１６】
また、前記動作要求は、前記モバイル無線通信デバイスが一定数のリソースブロックについてのみ前記許可モードを用いるべきこととすることができる。
【００１７】
またさらに、前記動作要求は、前記モバイル無線通信デバイスが前記許可モードを一定のデータ量でのみ用いるべきこととすることができる。
【００１８】
またさらに、前記動作要求は、前記モバイル無線通信デバイスが、監視されているサービス品質レベルが最小値を満たす限りにおいてのみ前記許可モードを用いるべきこととすることができる。
【００１９】
有利には、ＱｏＳに関連するこのような動作要求は、ＱｏＳ監視用のサブパラメータを用いることができる。また、サブパラメータは、監視されているＱｏＳのチェック用に用いることができる。
【００２０】
特定の特徴として、前記方法は、論理“AND”、論理“OR”、又は実際の任意の他の論理動作が含まれる要求の組み合わせと共に、上述した動作要求の１つ以上の組み合わせを用いることができる。
【００２１】
またさらに、前記方法は、前記モバイル無線通信デバイスの少なくとも１つの動作要求がもはや満たされない場合に、前記デバイスが前記ネットワークに報告するステップを用いることができる。
【００２２】
また、前記動作要求は、前記モバイル無線通信デバイスの報告オプションに関連することができる。
【００２３】
特に、ある報告オプションは、前記ネットワークへ報告することが予期されるかどうかを前記モバイル無線通信デバイスが決定するために用いることができる。
【００２４】
さらなる例として、報告オプションは、周期的に前記ネットワークへ報告することが予期されるかどうかを前記モバイル無線通信デバイスが決定するために用いることができる。特に、このような周期的な報告の周波数は、前記報告オプション内に同様に示すことができる。
【００２５】
またさらに、前記動作要求は、報告用に使用されるメトリックを識別する役割を持つ報告オプションを有することができる。
【００２６】
本発明の特定の実施形態によれば、前記許可モードは、無線リソース割当自律モードを有する。
【００２７】
さらに、前記初期の無線リソース割当モードは、無線リソース割当自律モードを有することができる。
【００２８】
さらなる例として、前記初期モードは、無線リソース割当スケジュールモードを有することができる。
【００２９】
このような態様において、前記方法は、前記構成データのシグナリングの前に、前記モバイル無線通信デバイスが前記ネットワークへＤ２Ｄサービス要求信号を送信するステップを用いることができる。
【００３０】
さらに、本発明は、前記ネットワークが、前記要求に応答して、自律モードの使用を許可するステップを用いることができる。
【００３１】
さらなる有利な態様として、スケジュールモードを有する前記初期モードと共に、前記ネットワークは、有利には、前記ネットワーク環境内のＤ２Ｄ通信を行うことができる全てのモバイル無線通信デバイスを識別することができる。
【００３２】
このように、前記ネットワークは、有利には、許可される自律モード無線リソース割当の自律モードプール上に発生し得る負荷を予測することができる。
【００３３】
またさらに、前記構成データを実行する前記シグナリングは、新たなメディアアクセス制御（ＭＡＣ：Medium Access Control）要素を用いて実現することができ、また、前記構成データは、ＳＩＢによる新たな情報要素として、又は、無線リソース制御（ＲＲＣ：Radio Resource Control）専用メッセージを介したＭＡＣ制御要素として、伝送することができる。
【００３４】
本発明の他の態様によれば、無線通信ネットワーク環境内のデバイス間通信用のモバイル無線通信デバイスに無線リソース割当モードを割り当てるシステムが提供され、前記システムの前記モバイル無線通信デバイスは、初期の無線リソース割当モードを識別するように構成され、また、前記システムは、ネットワーク要素から前記モバイル無線通信デバイスへのネットワーク構成データであって前記デバイス間通信用に用いられる許可無線リソース割当モードに関連するネットワーク構成データをシグナリングし、前記許可モードを用いる場合の前記モバイル無線通信デバイスの少なくとも１つの動作要求を定義するように構成される。
【００３５】
上記によれば、前記システムは、前記モバイル無線通信デバイスが、用いるべき適切な無線リソース割当モードを識別するという効果を得ることができる
【００３６】
ある構成において、前記システムは、前記ネットワークからシグナリングを受信して、前記初期の無線リソース割当モードを識別するように構成することができる。
【００３７】
前記ネットワークは、前記モバイル無線通信デバイスに提供される無線リソースの最大数を含む構成データを提供するように構成することができる。また、前記ネットワークは、前記モバイル無線通信デバイスが前記許可モードに留まることができる時間長に関連するパラメータを含む構成データを提供するように構成することができる。
【００３８】
有利には、前記システムは、前記少なくとも１つの動作要求が以下の１つ以上を有することができるように構成することができる：
前記モバイル無線通信デバイスが、前記許可モードを一定期間の間でのみ用いる；
前記モバイル無線通信デバイスが、一定数のリソースブロックについてのみ前記許可モードを用いる；
前記モバイル無線通信デバイスが、前記許可モードを一定のデータ量でのみ用いる；及び
前記モバイル無線通信デバイスが、監視されているサービス品質レベルが最小値を満たす限りにおいてのみ前記許可モードを用いる。
【００３９】
もちろん、前記システムは、論理“AND”、論理“OR”、又は実際の任意の他の論理動作が含まれる要求の組み合わせと共に、上述した動作要求の１つ以上の組み合わせを用いることができる。
【００４０】
前記システムの前記モバイル無線通信デバイスは、前記モバイル無線通信デバイスの少なくとも１つの動作要求がもはや満たされない場合に、前記ネットワークに報告するように構成することができる。
【００４１】
さらに、前記システムの前記モバイル無線通信デバイスは、周期的に前記ネットワークへ報告することが予期されるかどうか、及び、その場合はどの周波数で報告するかどうかを決定するように構成することができる。
【００４２】
ある特定の態様において、前記モバイル無線通信デバイスは、前記ネットワークからの前記構成データのシグナリングの前に、前記ネットワークへＤ２Ｄサービス要求信号を送信するように構成することができる。
【００４３】
さらに、前記システムは、スケジュールモードを有する前記初期モードと共に、前記ネットワークが、前記ネットワーク環境内のＤ２Ｄ通信を行うことができる全てのモバイル無線通信デバイスを識別することができるように、構成することができる。
【００４４】
上記から理解されるように、本発明を具現化する前記システムは、上述したステップの１つ以上に従って動作することができる。
【００４５】
本発明のさらなる態様によれば、無線通信ネットワークのネットワーク要素が提供され、前記ネットワーク要素は、Ｄ２Ｄ通信用のモバイル無線通信デバイスによって用いられる許可無線リソース割当モードに関連する構成データを含むシグナリングを前記ネットワーク内のモバイル無線通信デバイスに送信するように構成され、前記構成データは、前記許可モードを用いる場合の前記モバイル無線通信デバイスの少なくとも１つの動作要求を定義する。
【００４６】
前記ネットワーク要素は、前記モバイル無線通信デバイスが前記初期の無線リソース割当モードを識別できるように、前記ネットワークから伝送されるシグナリングを伝送するように構成することができる。
【００４７】
特に、前記ネットワーク要素は、システム情報ブロードキャスト（ＳＩＢ：System Information Broadcast）メッセージ内で、一般的には新たな情報要素（ＩＥ：Information Element）内で、このようなシグナリングを提供するように構成することができる。
【００４８】
前記ネットワーク要素は、本発明の前記方法に関連して、上述した前記データ及び／又はパラメータの１つ以上に従って構成データを提供するように構成することができる。
【００４９】
もちろん、前記ネットワーク要素は、無線リソース割当自律モードを有する許可モードを割り当てるように構成することができる。
【００５０】
さらに、前記ネットワーク要素は、前記構成データのシグナリングの前に、前記モバイル無線通信デバイスからＤ２Ｄサービス要求信号を受信するように構成することができる。
【００５１】
前記ネットワーク要素は、前記要求に応答して、自律モードの使用を許可するように構成することができる。
【００５２】
またさらに前記ネットワーク要素は、前記ネットワーク環境内のＤ２Ｄ通信を行うことができる全てのモバイル無線通信デバイスを識別するように構成することができる。
【００５３】
本発明のさらなる態様によれば、無線通信ネットワーク内のＤ２Ｄ通信用に構成されるモバイル無線通信デバイスが提供され、前記モバイル無線通信デバイスは、初期の無線リソース割当モードを識別し、また、その後に、ネットワーク端末から、デバイス間通信用に用いられる許可無線リソース割当モードに関連する構成データを含むシグナリングを受信するように構成され、前記構成データは、前記許可無線リソース割当モードを用いる場合の前記モバイルデバイスの少なくとも１つの動作要求を定義する。
【００５４】
前記モバイル無線通信デバイスは、有利には、前記初期の無線リソース割当モードを識別するシグナリングを受信するように構成される。
【００５５】
上述のように、前記モバイル無線通信デバイスで受信され、応答すべき前記構成データは、上述した前記要素、パラメータ、及び要求の１つ以上を有することができる。
【００５６】
前記構成データは、有利には、前記モバイル無線通信デバイスに提供される無線リソースの最大数を含むことができる。
【００５７】
前記モバイル無線通信デバイスは、有利には、前記モバイル無線通信デバイスの少なくとも１つの動作要求が前記デバイスでもはや満たされない場合に、前記ネットワークに報告するように構成される。
【００５８】
上述のように、前記動作要求は、前記モバイル無線通信デバイスの報告オプションに関連することができる。
【００５９】
このような態様において、前記方法は、前記構成データのシグナリングの前に、前記モバイル無線通信デバイスがデバイス間通信サービス要求信号を送信するステップを用いることができる。
【００６０】
本発明のさらなる態様によれば、無線通信ネットワーク環境内のＤ２Ｄ通信用のモバイル無線通信デバイスで無線リソース割当モードの割当を受信する方法が提供され、前記方法は、前記モバイル無線通信デバイスで初期の無線リソース割当モードを識別するステップを含み、また、その後に、前記モバイル無線通信デバイスで前記ネットワークからシグナリングを受信するステップをさらに含み、前記シグナリングは、前記Ｄ２Ｄ通信用の前記モバイル無線通信デバイスによって用いられる許可無線リソース割当モードに関連する構成データを含み、また、前記許可モードを用いる場合の前記モバイル無線通信デバイスの動作要求を含む。
【００６１】
この本発明の他の態様は、上述した効果を示し、また、上述した方法ステップを用いることができる。
【００６２】
本発明のさらなる態様によれば、コンピュータデバイス用のコンピュータプログラム製品が提供され、前記コンピュータプログラム製品は、コンピュータデバイス上にロードされる場合に、上述した方法を実行するように構成されるソフトウェアコードを含む。
【００６３】
もちろん、前記コンピュータプログラム製品は、コンピュータ可読媒体を有することができ、及び／又は、前記コンピュータデバイスへ直接ロード可能である。
【図面の簡単な説明】
【００６４】
以下、添付の図を参照して、単なる例示として、本発明について説明する。
【図１】セルラーネットワーク環境内で提供されるＤ２Ｄ通信を示す概略図である。
【図２】本発明の一実施形態によるネットワーク端末とモバイル端末との間の無線リソース割当管理用のシグナリングを示す図である。
【図３】本発明の他の実施形態によるネットワーク端末とモバイル端末との間の無線リソース割当管理用のシグナリングを示す図である。
【図４】本発明のさらなる実施形態によるネットワーク端末とモバイル端末との間の無線リソース割当管理用のシグナリングを示す図である。
【図５】本発明の実施形態によるネットワーク端末デバイスを示す概略図である。
【図６】本発明の実施形態によるモバイル端末デバイスを示す概略図である。
【発明を実施するための形態】
【００６５】
本発明の実施形態は、例えば、セルラーネットワークで動作するＵＥなどの無線通信ネットワークのモバイル端末デバイスが図示された方法及び関連するシステムを有する構成に関連しており、また、サービス品質レベル及び無線リソースの使用に関して特に有利になるように、適切なリソース割当モードを用いることが許可される。
【００６６】
図示される例では、Ｄ２Ｄ通信用に提案される、２つの特定の無線リソース割当モードが参照され、これらは、いわゆる自律モード割当及びスケジュールモード割当を含む。
【００６７】
このようなリソース割当の２つのモードは、Ｄ２Ｄなどの近接サービス用の３ＧＰＰの議論で定義され、発見及び通信シグナリングの双方に関連する。
【００６８】
自律モードは、一般的に、発見シグナリング用の“Type 1”及び通信シグナリング用の“Mode 2”として識別され、ＵＥが、Ｄ２Ｄ送信を自律的に行い、それによって、用いる無線リソースを自律的に決定することを許容する。このような決定は、マルチアクセスプロトコル、例えば、公知のＣＳＭＡ−ＣＡ又はＷｉＦｉマルチアクセスプロトコルと同様なものに基づいて行うことができる。無線リソースは、無線リソースのプールであってネットワークによって構成することができるプールから、自律的な方法でＵＡによって選択される。このような構成は、例えば、ｅＮＢなどのネットワーク端末デバイスによって提供することができるため、リソースは、Ｄ２Ｄ送信用に利用可能とされ、そのために、レガシーなセルラーアップリンク割当における使用には許可されない。
【００６９】
スケジュールモード割当は、一般には、３ＧＰＰのコンテキスト内では、発見シグナリング用の“Type 2B”及び通信シグナリング用の“Mode 1”として識別される。ｅＮＢは、スケジュールされた方法でＤ２Ｄシグナリング用に特定の無線リソースをＵＥに割り当てるように構成され、この方法は、例えば、レガシーなセルラーアップリンク割当用に用いられ、ＵＥからの要求に応答して行われる方法と同様のもとすることができる。
【００７０】
３ＧＰＰの議論では、任意のＵＥ用に割り当てられる無線リソースは、ネットワークオペレータの制御下で選択できることがさらに規定されている。しかし、特定のＵＥが、用いる無線リソース割当モードをどのように識別するかの議論又は評価は何らなされておらず、特にサービス品質及びリソース使用効率に関して様々な不利が生じることが予想されている。
【００７１】
このような不利点は、３ＧＰＰの議論によれば、セルラーネットワークのセルなどのネットワーク環境が、自律及びスケジュール無線リソース割当モードの双方を同時にサポートすることを許容していることに関連すると考えられている。特に、スケジュールモードはインターセル環境での適用は困難であるため、セルエッジ付近に位置するＵＥ用には自律モードリソース割当が使用されること、また、スケジュールモードはセル内のより中心に位置するＵＥ用に使用される傾向になること、が予想されている。そのため、Ｄ２Ｄ通信を模索し、同じセル内で動作するＵＥデバイスなどの近接サービスユーザには、自律モードリソース割当を介してサービスが提供され、セル内の他のユーザには、スケジュールモードリソース割当を介してサービスが提供されることは明らかであろう。
【００７２】
図１を参照すると、共通なネットワーク環境内のリソース割当のポテンシャルで共通な配置を示す概略図が提供されている。
【００７３】
図１において、共通なネットワーク環境は、セルラーネットワークのセル１０を有しており、そのネットワーク端末デバイスであるｅＮＢ１２が示されている。
【００７４】
セル１０内には、例えば、セル１０及びｅＮＢ１２を有するセルラーネットワークからのオフロードをアシストするために、Ｄ２Ｄ通信を模索する複数のＵＥ１４〜２４がいる。
【００７５】
当初のセル内の位置に起因して、ＵＥ１４，１６，１８は、Ｄ２Ｄのスケジュールモードリソース割当を介して無線リソースを模索するように構成される。
【００７６】
このように、ｅＮＢは、Ｄ２Ｄのスケジュールリソースプール構成を提供するＵＥ１４，１６，１８にシグナルリングＡを送信する。これらＵＥのうち、Ｄ２Ｄ通信シグナリングを開始することを望んでいる特定の１つのＵＥ１４は、続いて、ｅＮＢ１２にリソース要求Ｂを送信し、続いて、ｅＮＢ１２は、ＵＥ１４によって用いられる特定の無線リソースを割り当てるＤ２Ｄリソース応答Ｃで応答し、これによって、要求されたＤ２Ｄ送信Ｄを開始することができる。
【００７７】
セルの外側に位置するＵＥ２０，２２，２４に関しては、Ｄ２Ｄ自律モード割当に従って無線リソース割当を模索するように構成されるため、ｅＮＢ１２は、Ｄ２Ｄ自律リソースプール構成を提供するＵＥ２０，２２，２４にシグナリングＥを提供する。このリソースプール構成は、Ｄ２Ｄ送信の開始を模索しているＵＥが使用のために選択可能な無線リソースのリストを提供する。
【００７８】
図示される例では、ＵＥ２０は、ｅＮＢ１２からシグナリングＥで受信したリソースプールから少なくとも１つの無線リソースを選択し、このような無線リソースに従って、Ｄ２Ｄ送信Ｆを開始するように構成される。
【００７９】
このように、要約すると、Ｄ２Ｄスケジュールモードは、モードに従ってＤ２Ｄ情報の送信を意図しているＵＥが無線リソーススケジューリングを要求すべきことを指示する。その一方、Ｄ２Ｄ自律モードは、Ｄ２Ｄ情報の送信を意図しているＵＥが用いるべきであり、構成される自律モードリソースプールの中から選択すべきである。
【００８０】
上述した本発明の概要の説明及び以降の説明から理解されるように、本発明の特定の態様は、無線リソースの使用状況及び送信動作の観点で、ネットワークからＤ２Ｄ自律モードの制御を可能にするために、新たな無線構成パラメータを提案する。また、ネットワークの要求に応じてＤ２Ｄ自律モード用に使用される無線リソースを適応させるために、Ｄ２ＤのＵＥからネットワークに新規のインジケーションを送信することができる。
【００８１】
特に、本発明は、自律モードのリソース割当に関連し、特に自律モードの割当用に用いられる無線リソースプールに関連する問題の処理において、特に効果がある。１つの特定の例としては、自立的動作を模索しているＵＥの数に対して、自律モードプールが小さい場合、近接サービスユーザに対して非効率なＱｏＳがもたらされる。又は、ポテンシャルなＵＥの数に対して、自律モードプールが大きすぎる場合、特にこのような不使用のリソースが、ネットワーク容量に影響を与えるレガシーなセルラー通信用に使用可能な限りにおいて、Ｄ２Ｄ無線リソースの非効率な使用がもたらされる。
【００８２】
本発明は、このような問題の処理において効果がある。
【００８３】
理解されるように、本発明は、ＵＥ及びｅＮＢなどの端末デバイス用の動作特性及びこれらの特性のサポート用のシグナリングを適応させることができる。特定の実施形態のさらなる説明において、Ｄ２Ｄ通信用のデフォルトの無線リソース割当モードは、各セル毎に導入され、そのセルにおけるＵＥの動作を決定することができる。例えば、“Default Scheduled Mode（デフォルトスケジュールモード(SM)）”において、ＵＥは、自律モード（ＡＭ：Autonomous Mode）プールにおけるリソースに従った任意の送信の前に、ｅＮＢにリソース要求を送信することが要求される。要求側のＵＥが、ＳＭを介してサービスを受けるか、又は、ある条件下でＡＭの使用が許可されるべきである場合、ｅＮＢは、例えば、時間、監視されたサービス品質又は送信データ量などに関連して、個々の要求をベースにした決定をすることができる。そのため、“authorized（許可）”ＵＥは、構成される条件が満たされる限りは、ＡＭを使用することができ、続いて、新たな要求をｅＮＢに送信することができる（まだ送信すべきデータがある場合）。しかし、“Default AM Mode（デフォルトＡＭモード）”において、ＵＥは、ＡＭを使用すること、それによってＡＭへのアクセス権を持つこと、ｅＮＢからの事前許可なしにＡＭプールから選択することができる。そのため、基地局の構成に応じて、このようなＵＥは、無期限に、又は、監視されているＤ２ＤのＱｏＳのいくつかの条件が満たされる限り、ＡＭのままでいても良い。“indefinite use（限定されない使用）”の構成においてさえも、ｅＮＢは、監視されているＱｏＳの報告をオプション的に要求しても良いこと（周期的に又はトリガーをベースに）に留意すべきである。一例として、“QoS”の基準は、ＡＭプールで使用されるプロトコルに関連する様々なメトリックに基づくことができる。
【００８４】
その機能によって、ｅＮＢは、異なる方法でＡＭの使用を制御することができ、有利にはネットワークオペレータが利用可能な様々なポリシー／戦略が作られる。以下では、このような機能の使用可能な例が示される。
【００８５】
まず、デフォルトモード設定の“Default SM（デフォルトＳＭ）”から始まる、いわゆるプロアクティブタイト制御アプローチを含む。ここで、ｅＮＢは、Ｄ２Ｄの使用を意図している全てのＵＥを認識しており、また、ＡＭの負荷を動的に予測することができる。ボトルネックが生じる場合、ＳＩＢ変更手順を介してＡＭプールのサイズを変更することができる。しかし、これは、“mid-term（中期）”効果を持つ可能性があるため、要求側のＵＥを瞬時にＳＭ及びリソースの異なるプールに移動させることができる。同様に、ｅＮＢは、ＡＭプール下での使用を予測ができ、また、適切な場合はそのサイズを変更することができる。
【００８６】
第２の例は、いわゆるリアクティブルーズ制御アプローチを含む。ここで、非効率なＡＭプールは、ＱｏＳのトリガー報告を介して、ｅＮＢによって検出される。ｅＮＢは、ＵＥを個々に制御することはしないが、ＳＩＢ手順を介してＡＭプールを拡張する。この構成では、ＡＭプール下での使用は、ｅＮＢによって活性化された場合に、監視されているＱｏＳ報告を介して検出することができる。
【００８７】
したがって、理解されるように、条件及び関連する値の設定により、ｅＮＢ／オペレータが制御効率とシグナリングコストとの間のトレードオフを行うことができるようになり、特に有利である。
【００８８】
ここで図２を参照すると、ｅＮＢ２６とＵＥ２８との間のシグナリング及び関連するパラメータが示されている。ここで、ネットワークは“Scheduled Mode（スケジュールモード）”リソース割当を含む動作を行っている。
【００８９】
“DefaultProSeRRAMode（デフォルトＰｒｏＳｅＲＲＡモード）”情報は、ステップ３０で“SM”に設定され、セルにキャンプオンしているＵＥの全てに対してブロードキャストされるか、又は、“SM”はデフォルトのモードとしてＵＥに実装される。次に、ステップ３２，３４では、Ｄ２Ｄサービス用の送信を意図しているＵＥ２８用に、ランダムアクセス又はスケジュールリクエスト手順３２が開始され、ＵＥ２８は、デフォルトの動作に従って、無線リソース要求として、ＭＡＣ  Ｄ２Ｄバッファステータス報告３４をｅＮＢ２６に送信する。
【００９０】
ステップ３６では、ｅＮＢは、ＳＭを使用してＵＥにサービスを提供するためのリソースブロックの個々の割り当てによって、又は、要求側のＵＥ２８への明確な“AMAuthorization（ＡＭ許可）”メッセージ３８によって、上記の要求に対して応答する。この許可は、ＵＥ２８に予期される動作、及び、ＵＥ２８を許可する条件が記述された“AMAuthorizationCondition（ＡＭ許可条件）”パラメータを定義することを含む。また、どのようにしてＵＥ２８がＡＭの使用を報告することが予期されるかを記述している“AMReportingOptions（ＡＭ報告オプション）”パラメータも含まれる。
【００９１】
続いて、ステップ４０〜４４では、許可手続きが継続され、ステップ４０では、ＵＥは、受信された許可メッセージ３８に関連する全ての内部プロセスを開始し、ステップ４２では、ＵＥは、ＰｒｏＳｅ／Ｄ２Ｄ送信用にＡＭで動作可能であり、ステップ４４では、“NbrOfTransmissionFailuer（送信失敗のＮｂｒ）”閾値に達したかどうかが決定される。受信構成で定義されている“AuthorizationCondition（許可条件）”がもはや満たされなくなった場合には、ＵＥは、ＡＭの使用を停止して、“AMReport（ＡＭ報告）”メッセージを使用して、“ReportingOption（報告オプション）”に従って、ｅＮＢに報告４６を行う。これは、無線リソースがさらに必要であればそれらの無線リソースの新たな要求にできる限り沿って行う。ステップ４８では、ｅＮＢ２８は、ＵＥ“AMReport（ＡＭ報告）”メッセージに基づいてさらなる動作を行っても良い。ＵＥによって要求された無線リソースの量がこのようなモードで提供可能である場合は、このようなさらなる動作によって、ＵＥ２８のＳＭモードへの移動を制御することができ、そうでなければ、ＵＥはＡＭモードのままになり、手順は、シグナリング３８によって開始されるステップに戻ることができる。
【００９２】
ネットワークが“Autonomous Mode（自律モード）”を含むデフォルトのモードで無線リソースを処理する第２の典型的なシナリオが図３を参照して説明され、図３では、再度ｅＮＢ２６及びＵＥ２８がペアでシグナリングを交換している。
【００９３】
“DefaultProSeRRAMode（デフォルトＰｒｏＳｅＲＲＡモード）”情報は、ステップ５０で“AM”に設定され、セルにキャンプオンしているＵＥの全てに対してブロードキャストされるか、又は、“AM”はデフォルトのモードとしてＵＥに実装される。
【００９４】
このようなデフォルトによる許可は、Ｄ２Ｄ用のＡＭを使用する場合にセル内の全てのＵＥについて予期される動作を定義する構成５２を含み、また、ＵＥ２８が許可される条件を記述した“AMAuthorizationCondition（ＡＭ許可条件）”パラメータ、及び、どのようにしてＵＥ２８がＡＭの使用をネットワークに報告することが予期されるかを記述した“AMReportingOptions（ＡＭ報告オプション）”パラメータを含む。
【００９５】
Ｄ２Ｄサービスの一部となる送信を意図しているＵＥ２８は、デフォルトでは、ＡＭプール及びＵＥ２８で開始する内部プロセス５４，５５，５６を使用して、ＡＭリソース割り当てを用いることができる。すなわち、ステップ５４では、ＵＥ２８は、受信されたAMAuthorizationConditins（ＡＭ許可条件）に関連する全ての内部プロセスを開始し、AverageDataRate（平均データレート）の値の計算を開始することができる。ステップ５５では、ＵＥは、ＰｒｏＳｅ／Ｄ２Ｄ送信用のＡＭで動作し、ステップ５６では、AvergaeDataRate（平均データレート）の閾値に達したかどうかが決定される。
【００９６】
受信構成で定義された“AuthorizationCondition（許可条件）”がもはや満たされなくなった時又は場合に、ランダムアクセス又はスケジューリング要求手順５８が開始され、ＵＥ２８は、“AMReport（ＡＭ報告）”メッセージを使用して、“ReportingOption（報告オプション）”に従って、ｅＮＢ２６に要求／報告６０を行うことができる。無線リソースがさらに必要であればそれらの無線リソースの新たな要求を行うことができる。
【００９７】
最後に、ステップ６２では、ｅＮＢ２８は、ＵＥ“AMReport（ＡＭ報告）”メッセージの受信時にさらなる動作を行うことができる。要求された無線リソースの量がこのようなモードで提供可能である場合は、このようなさらなる制御動作によって、ＵＥ２８のＳＭモードへの移動を制御することができ、そうでなければ、ＵＥはＡＭモードのままになり、ステップによって開始される手順に戻る。
【００９８】
さらなる典型的なシナリオは、デフォルトでは、ネットワーク動作が再度“Autonomous Mode（自律モード）”であり、再度ｅＮＢ２６及びＵＥ２８が参照される図３を参照して説明される。ここで、ＡＭモードは、条件、すなわち報告要求だけではなく、デフォルトとして適用される。
【００９９】
“DefaultProSeRRAMode（デフォルトＰｒｏＳｅＲＲＡモード）”情報は、ステップ６４で“AM”に設定され、セルにキャンプオンしているＵＥに対してブロードキャストされるか、又は、“AM”はデフォルトのモードとしてＵＥに実装される。
【０１００】
上述のように、このデフォルトによる許可は、Ｄ２Ｄサービス用のＡＭを使用する場合にセル内の全てのＵＥについて予期される動作を定義する構成６６を含み、また、ＵＥが許可される条件を記述した“AMReporting（ＡＭ報告）”パラメータを含む。
【０１０１】
Ｄ２Ｄサービスの一部となる送信を意図しているＵＥ２８は、デフォルトでは、ＡＭプール及びＵＥ２８で開始する内部プロセス６８，７０，７２を使用して、ＡＭリソース割当を用いることができる。すなわち、ステップ６８では、ＵＥ２８は、受信されたAMAuthorizationConditins（ＡＭ許可条件）に関連する全ての内部プロセスを開始し、AverageDataRate（平均データレート）の値の計算を開始することができる。ステップ７０では、ＵＥは、ＰｒｏＳｅ／Ｄ２Ｄ送信用のＡＭで動作し、ステップ７２では、AvergaeDataRate（平均データレート）の閾値に達したかどうかが決定される。
【０１０２】
受信構成で定義された“AuthorizationCondition（許可条件）”がもはや満たされなくなった時又は場合に、ランダムアクセス又はスケジューリング要求手順７４が開始され、ＵＥ２８は、“AMReport（ＡＭ報告）”メッセージを使用して、“ReportingOption（報告オプション）”に従って、ｅＮＢ２６に要求／報告７６を行うことができる。無線リソースがさらに必要であればそれらの無線リソースの新たな要求を行うことができる。
【０１０３】
ステップ７８では、ｅＮＢは、ＵＥ“AMReport（ＡＭ報告）”メッセージの受信時に、上記と同様に、さらなる動作を行うことができる。このようなさらなる制御動作によって、ＡＭプールのサイズが増加し、ステップ７８でプールサイズが増加した場合は、ＵＥは、ステップ８０でＤ２Ｄ送信用のＡＭモードを継続することができる。
【０１０４】
図５に進むと、上述した図２、図３及び４のいずれかの適切なシグナリングステップに従って動作するように構成されるｅＮＢ８２などのネットワーク端末デバイスの概略図が提供されている。
【０１０５】
ネットワーク端末デバイス８２は、メモリ機能９０に動作可能に接続されるコントローラ８８に順番に動作可能に接続される送信／受信回路８６に接続されるインタフェース８４の機能を含む。
【０１０６】
理解されるように、コントローラ８８は、上述したシステム及び方法に関連して、送信／受信回路８６及びメモリ機能９０と共に、セル内のＵＥデバイス間のセルラー通信用及びこのようなＵＥデバイス間のＤ２Ｄ通信用の双方のセルラーシグナリングを制御する。ＵＥデバイス間のＤ２Ｄ通信用に提供する場合、コントローラ８８は、Ｄ２Ｄ通信を模索しているＵＥがデフォルトモードを識別することができるように、セル用のデフォルトの無線リソース割当モードを確認するように構成される。コントローラ８８は、ＵＥがデフォルトモードから変更すべきか否か、及び、自律モードまたはスケジュールモードを介して無線リソース割当を模索しているか否かを決定することができる。自律モードが用いられている場合、コントローラ８８は、自律モードで動作を継続する場合にＵＥが満たすべき許可条件／報告パラメータを含む許可シグナリングを進めるように構成される。コントローラ８８は、リソース割当モードを再アサート又は切り替えるために制御シグナリングをその後にＵＥに発行するかどうかを決定するために、送信／受信回路８６を介して、動作要件がまだ満たされているか否かを示す、ＵＥからのシグナリング報告を受信するように構成される。
【０１０７】
上述したように、図６は、メモリ機能１００及びユーザインタフェース１０２に順番に接続される制御回路９８に動作可能に接続される送信／受信回路８６に動作可能に接続されるアンテナ９４などの標準的なモバイル無線通信デバイスの機能を含むＵＥ９２などのモバイル無線通信デバイスの概略図を含む。再度概略的に示されるように、制御回路９８は、デバイス９２によって適応される無線リソース割当モードを制御するように構成される第１の要素１０４及び第２の要素１０６を含む。すなわち、制御回路９８の第１の構成要素１０４は、例えば図５のｅＮＢなどのネットワークデバイスから、送信／受信回路９６を介して、自律モード許可シグナリングを受信するように構成される。上述した機能に従って、許可シグナリングは、割り当てられた自律モードに従って動作を継続するために、ＵＥによって満たされるべき動作特性及び／又は報告要件に関連する１つ以上の条件を含む。したがって、制御回路の第１の要素１０４は、このような条件を識別し、このような条件が満たされ続けるかどうかを監視し続けるように構成される。
【０１０８】
このような条件がもはや満たされなくなった場合、制御回路９８の第２の要素１０６は、適切な報告シグナリングを確立し、２つのネットワークデバイスに送信／受信回路９６を介して同じものを送信するように構成される。制御回路９６は、ネットワークデバイスから制御シグナリングを受信するように構成することができ、ネットワークデバイスは、自律モード動作を保持するか否か、又は、無線リソース割当モードを例えば上述したスケジュールモードに切り替えるか否かを決定することができる。
【０１０９】
本発明の構成オプション及びパラメータの様々な例の詳細は以下の通りである。
【０１１０】
“AMAuthorizationConditions（ＡＭ許可条件）”パラメータは、次の値のいずれか１つ以上を取ることができる。
【０１１１】
“AuthorizedDuration（許可デュレーション）”は、ＵＥが一定時間（パラメータ内で供給される値）の間でのみＡＭを使用すべきことを要求する。
【０１１２】
“AuthorizedRBNb（許可ＲＢＮｂ）”は、ＵＥがリソース・ブロックの一定数でのみＡＭを使用すべきことを要求する。
【０１１３】
“AuthorizedDataTransfer（許可データ伝送）”は、ＵＥが一定のデータ量でのみＡＭを使用すべきことを要求する。
【０１１４】
“MinimalOQoS（最小ＯＱｏＳ）”は、ＵＥが、監視されているＱｏＳ（Observed QoS）が最小値を満たす限りにおいてのみＡＭを使用すべきことを要求する。このパラメータは、ＱｏＳ監視用に使用されるサブパラメータ“AMOQoSMetrics（ＡＭＯＱｏＳメトリック）”を含む。このようなメトリックの例は、時間のスライディングウィンドウ又は“MaxNbofTransmissionFailure（送信失敗の最大Ｎｂ）”上を伝送されるデータの実際の成功送信レートである。さらに、ＱｏＳチェック用に使用されるサブパラメータ“AMOQoSThreshold（ＡＭＯＱｏＳ閾値）”を含めることもできる。
【０１１５】
上記の条件のいずれか１つ以上は、構成の一部を形成することができ、その場合、ＵＥは、受信構成に存在するすべての条件の論理“AND”を考慮すべきである。
【０１１６】
“AMAuthorizationConditions（ＡＭ許可条件）”情報がない場合には、オプションとして、ＵＥはＡＭ及びＡＭプールの使用に制限がないと決定することができる。
【０１１７】
サブパラメータは、“AMReportingOptions（ＡＭ報告オプション）”パラメータを示すことができる。すなわち、“AMReportRequestedIndication（ＡＭ報告要求インジケーション）”は、ｅＮＢに報告することが予期されるかどうかをＵＥが識別するために、使用することができる。
【０１１８】
“AMReportPeriod（ＡＭ報告期間）”は、周期的にｅＮＢに報告することが予期されるかどうか、また、その場合は周期的なレベルをＵＥが決定するために、使用することができる。
【０１１９】
“AMReportOQoSMetricsType（ＡＭ報告ＯＱｏＳメトリックタイプ）”は、どのメトリックが報告用に使用されるべきかをＵＥが識別するために、使用することができる。これは、上記で説明した“AMOQoSMetrics（ＡＭＯＱｏＳメトリック）”サブパラメータと同様とすることができる。
【０１２０】
双方のシナリオ用のシグナリングオプションは次のようにすることができる：
“DefaultProSeRRAMode（デフォルトＰｒｏＳｅＲＲＡモード）”情報は、新たなＩＥとしてＳＩＢメッセージングに追加することができる。すなわち、ＳＩＢに何らの情報も存在しない場合は、“SM”又は“AM”を、デフォルトの無線リソース割当モード設定として定義することができる。
【０１２１】
“AMAuthorization（ＡＭ許可）”は、新たなＭＡＣ制御要素を使用して実行することができる。さらに、“AMAuthorizationConditions（ＡＭ許可条件）”及び“AMReportingOptions（ＡＭ報告オプション）”などのAMAuthorization（ＡＭ許可）構成パラメータは、ＳＩＢ（セル幅の値用）若しくはAMAuthorization（ＡＭ許可） MAC CE（ＵＥ固有の値用）によって、又は、新たなＲＲＣ専用メッセージ（ＵＥ固有の値用）によって、新たなＩＥとして、伝送することができる。
【０１２２】
“AMReport（ＡＭ報告）”シグナリングは、周期的な報告若しくは閾値をパスしたことをトリガーとした報告であるかどうかをｅＮＢに示すために、“AMReportType（ＡＭ報告タイプ）”などの情報を伝送することができ、又は、上述したAMReportingOptions（ＡＭ報告オプション）と同じ構造にし得る“AMReportOQoSMetricsType（ＡＭ報告ＯＱｏＳメトリックタイプ）”を伝送することができる。“AMReportOQOSMetricsValue（ＡＭ報告ＯＱｏＳメトリックタイプ）”は、メトリックの実際の値を伝送するために提供することができ、また、新たなＭＡＣ制御要素として又は新たなＲＲＣ専用メッセージとして実行することができる。
【０１２３】
上記から理解されるように、本発明に関連して生じる特定の効果は、自律モードリソース割当におけるＵＥ用に適切なＱｏＳを保証するために、リアルタイムな自律プール管理を可能にすることにある。このようなシナリオでは、典型的には、自律モードで問題が起こり得る場合に、ｅＮＢは、すぐにスケジュールモード割当を介してＵＥにサービスを提供することができる。さらに、本発明は、典型的には許可の継続時間を調整することにより、シグナリング負荷と自律プール管理の効率との間のトレードオフを行うことができる。さらに、ｅＮＢは、どのＵＥが任意の特定の時間にＤ２Ｄシグナリングに含まれるかを決定することができる。これは、Ｄ２Ｄが可能なＵＥの数を参照することによって達成できるものよりも、高精度で提供できるというさらなる効果を示すことができ、また、それによって、より正確で、詳細な、すなわちきめ細かなセル内の無線リソースの管理を行うことができる。
【０１２４】
もちろん、本発明は、上述した実施形態の詳細に限定されるものではなく、必要に応じて、適切なネットワーク端末及びモバイルデバイスを用いる任意の適切な無線ネットワーク通信環境に関連して提供され得ることが理解されるべきである。
【０１２５】
プログラムは、様々なタイプの非一時的なコンピュータ可読媒体（non-transitory computer readable medium）を用いて格納され、コンピュータデバイスに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブなど）、光磁気記録媒体（例えば、光磁気ディスク）、ＣＤ−ＲＯＭ（Compact Disk-Read Only Memory）、ＣＤ−Ｒ（CD-Recordable）、ＣＤ−Ｒ／Ｗ（CD-ReWritable）、及び半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータデバイスに供給されてもよい。一時的なコンピュータ可読媒体の例は、電気信号、光信号、及び電磁波を含む。一時的なコンピュータ可読媒体は、電線及び光ファイバなどの有線通信路、又は無線通信路を介して、プログラムをコンピュータデバイスに供給できる。
【０１２６】
この出願は、２０１４年３月１９日に出願された英国特許出願第１４０４９５２．２号明細書からの優先権の利益に基づき、同優先権の利益を主張し、その開示はその全体が参照により本明細書に組み込まれる。
【符号の説明】
【０１２７】
１０  セル
１２  ｅＮＢ
１４〜２４  ＵＥ
２６  ｅＮＢ
２８  ＵＥ
８２  ネットワーク端末デバイス
８４  インタフェース
８６  送信／受信回路
８８  コントローラ
９０  メモリ機能
９２  ＵＥ
９４  アンテナ
９６  送信／受信回路
９８  制御回路
１００  メモリ機能
１０２  ユーザインタフェース
１０４  第１の要素
１０６  第２の要素
【図１】
0006763456.tif 000002
【図２】
0006763456.tif 000003
【図３】
0006763456.tif 000004
【図４】
0006763456.tif 000005
【図５】
0006763456.tif 000006
【図６】
0006763456.tif 000007